(57)【要約】受信装置（３２）のＳＩＮＲ推定装置（３０１）が、第１および第２の復調信号（ｙ１、ｙ２）を計測して、信号系列ごとにＳＩＮＲ（信号電力と、干渉電力と雑音電力の和との比）を計算する。そして、伝送パラメータ決定装置（１１１）が、このＳＩＮＲにもとづいて、信号系列ごとに、送信装置（３１）が伝送の制御の際に用いる伝送パラメータ（Ｘｎｅｘｔ）を決定し、これを送信装置（３１）にフィードバックする。送信装置（３１）の第１および第２のマッピング装置（２０１−１．２０１−２）は、フィードバックされた伝送パラメータ（Ｘｃｔｒｌ）に基づいて、信号系列ごとに変調多値数を制御する。
2005008931.tif 000002
【特許請求の範囲】
【請求項１】
送信装置（３１）から複数の送信アンテナ（１０４−１，１０４−２）によって並列に送信された送信信号（ｓ１、ｓ２）を、複数の受信アンテナ（１０５−１，１０５−２）によって受信し、復調を行う受信装置（３２）において、
復調信号を計測し、信号系列ごとに無線回線品質を推定するための物理量を計算する計算手段（３０１）と、
前記計算手段が計算した物理量に基づいて無線回線品質を評価し、前記送信装置による次回の伝送における伝送パラメータ（Ｘｎｅｘｔ）を信号系列ごとに決定する決定手段（１１１）と、
前記決定手段が決定した伝送パラメータを前記送信装置に送信する送信手段（７１）と、
受信信号（ｙ１，ｙ２）から伝送パラメータの変更を信号系列ごとに検出する検出手段（１０７）とを有することを特徴とする受信装置。
【請求項２】
前記物理量は、前記復調信号のＳＩＮＲである、請求の範囲第１項に記載の受信装置。
【請求項３】
前記伝送パラメータは、マッピングにおける変調多値数である、請求の範囲第１項または第２項に記載の受信装置。
【請求項４】
複数の送信アンテナ（１０４−１、１０４−２）によって並列に送信信号（ｓ１、ｓ２）を送信する送信装置（３１）と、前記送信信号を複数の受信アンテナ（１０５−１，１０５−２）によって受信し、復調を行う受信装置（３２）とを備えた無線通信システムにおいて、
前記受信装置（３２）は、
復調信号を計測し、信号系列ごとに無線回線品質を推定するための物理量を計算する計算手段（３０１）と、
前記計算手段が計算した物理量に基づいて無線回線品質を評価し、前記送信装置による次回の伝送における伝送パラメータ（Ｘｎｅｘｔ）を信号系列ごとに決定する決定手段（１１１）と、
前記決定手段が決定した伝送パラメータを前記送信装置に送信する送信手段（７１）と、
受信信号（ｙ１，ｙ２）から伝送パラメータの変更を信号系列ごとに検出する検出手段（１０７）とを有し、
前記送信装置（３１）は、
前記決定手段が送信した前記伝送パラメータを受信する受信手段（７２）と、
前記受信手段が受信した前記伝送パラメータに基づいて、信号系列ごとに伝送を制御する手段（２０１−１，２０１−２）とを有する、ことを特徴とする無線通信システム。
【請求項５】
前記物理量は、前記復調信号のＳＩＮＲである、請求の範囲第４項に記載の無線通信システム。
【請求項６】
前記伝送パラメータは、マッピングにおける変調多値数である、請求の範囲第３項または第４項に記載の無線通信システム。
【請求項７】
送信装置（５１；６１）から複数の送信アンテナ（１０４−１，１０４−２）によって並列に送信された送信信号（ｓ１、ｓ２）を、複数の受信アンテナ（１０５−１〜１０５−２；１０５−１〜１０５−４）によって受信し、送信信号（ｓ１，ｓ２）と受信信号（ｒ１，ｒ２；ｒ１〜ｒ４）を関係づけるチャネル行列（Ｈ）を推定して、該チャネル行列に基づいて復調を行う受信装置（５２；６２）において、
前記チャネル行列（Ｈ）のみに基づいて、信号系列ごとに無線回線品質を推定するための物理量を計算する計算手段（５０１；６０１）と、
前記計算手段が計算した物理量にもとづいて無線回線品質を評価し、前記送信装置による次回の伝送における伝送パラメータ（Ｘｎｅｘｔ）を信号系列ごとに決定する決定手段（１１１）と、
前記決定手段が決定した伝送パラメータを前記送信装置に送信する送信手段（７１）と、
前記受信信号から伝送パラメータの変更を信号系列ごとに検出する検出手段（１０７）とを有することを特徴とする受信装置。
【請求項８】
前記物理量は、復調信号のＳＮＲである、請求の範囲第７項に記載の受信装置。
【請求項９】
前記物理量は、前記複数の送信アンテナが個別に信号を送信したと仮定した場合に、前記複数の受信アンテナがそれぞれ検出する信号のＳＮＲの総和である、請求の範囲第７項に記載の受信装置。
【請求項１０】
前記物理量は、より大きな値を有する１つまたは複数の前記ＳＮＲの総和である、請求の範囲第９項に記載の受信装置。
【請求項１１】
前記伝送パラメータは、マッピングにおける変調多値数である、請求の範囲第７項から第１０項のいずれか１項に記載の受信装置。
【請求項１２】
複数の送信アンテナ（１０４−１、１０４−２）によって並列に送信信号（ｓ１、ｓ２）を送信する送信装置（５１；６１）と、前記送信信号（ｓ１、ｓ２）を複数の受信アンテナ（１０５−１〜１０５−２；１０５−１〜１０５−４）によって受信し、送信信号（ｓ１，ｓ２）と受信信号（ｒ１，ｒ２；ｒ１〜ｒ４）を関係づけるチャネル行列（Ｈ）を推定して、該チャネル行列に基づいて復調を行う受信装置（５２；６２）とを備えた無線通信システムにおいて、
前記受信装置は、
前記チャネル行列（Ｈ）のみに基づいて、信号系列ごとに無線回線品質を推定するための物理量を計算する計算手段（５０１；６０１）と、
前記計算手段が計算した物理量に基づいて無線回線品質を評価し、前記送信装置による次回の伝送における伝送パラメータ（Ｘｎｅｘｔ）を信号系列ごとに決定する決定手段（１１１）と、
前記決定手段が決定した伝送パラメータを前記送信装置に送信する送信手段（７１）と、
前記受信信号から伝送パラメータの変更を信号系列ごとに検出する検出手段（１０７）とを有し、
前記送信装置は、
前記決定手段が送信した前記伝送パラメータを受信する受信手段（７２）と、
前記受信手段で受信した前記伝送パラメータに基づいて、信号系列ごとに伝送を制御する手段（２０１−１，２０１−２）とを有する、ことを特徴とする無線通信システム。
【請求項１３】
前記物理量は、復調信号のＳＮＲである、請求の範囲第１２項に記載の無線通信システム。
【請求項１４】
前記物理量は、前記複数の送信アンテナが個別に信号を送信したと仮定した場合に、前記複数の受信アンテナがそれぞれ検出する信号のＳＮＲの総和である、請求の範囲第１２項に記載の無線通信システム。
【請求項１５】
前記物理量は、より大きな値を有する１つまたは複数の前記ＳＮＲの総和である、請求の範囲第１４項に記載の無線通信システム。
【請求項１６】
前記伝送パラメータは、マッピングにおける変調多値数である、請求の範囲第１２項から第１５項のいずれか１項に記載の無線通信システム。
【請求項１７】
複数の受信アンテナ（１０５−１、１０５−２；１０５−１〜１０５−４）によって受信を行う受信装置（３２；５２；６２）へ、複数の送信アンテナ（１０４−１、１０４−２）によって並列にデータを送信する送信装置（３１；５１；６１）において、
前記受信装置が送信した伝送パラメータを受信する受信手段（７２）と、
前記受信手段で受信した前記伝送パラメータに基づいて、信号系列ごとに伝送を制御する手段（２０１−１，２０１−２）とを有する、送信装置（３１；５１；６１）。
【請求項１８】
複数の受信アンテナ（１０５−１、１０５−２；１０５−１〜１０５−４）によって受信を行う受信装置（５２Ａ：６２Ａ）へ、複数の送信アンテナ（１０４−１、１０４−２）によって並列にデータを送信する送信装置（５１Ａ；６１Ａ）であって、該送信装置が送信した信号と、前記受信装置が検出した該信号を関係づけるチャネル行列と、前記受信装置が送信した信号と、前記送信装置が検出した該信号を関係づけるチャネル行列が同一になるような無線通信システムにおける送信装置において、
前記チャネル行列を推定する推定手段（１０６）と、
前記チャネル行列のみに基づいて、信号系列ごとに無線回線品質を推定するための物理量を計算する計算手段（５０１；６０１）と、
前記計算手段が計算した物理量に基づいて無線回線品質を評価し、次回の伝送における伝送パラメータを信号系列ごとに決定する決定手段（１１１）と、
前記決定手段が決定した伝送パラメータにもとづいて、信号系列ごとに伝送の制御を行う手段（２０１−１，２０１−２）とを有することを特徴とする送信装置。
【請求項１９】
前記物理量は、前記受信装置の復調信号のＳＮＲである、請求の範囲第１８項に記載の送信装置。
【請求項２０】
前記物理量は、前記複数の送信アンテナが個別に信号を送信したと仮定した場合に、前記複数の受信アンテナがそれぞれ検出する信号のＳＮＲの総和である、請求の範囲第１８項に記載の送信装置。
【請求項２１】
前記物理量は、より大きな値を有する１つまたは複数の前記ＳＮＲの総和である、請求の範囲第２０項に記載の送信装置。
【請求項２２】
前記伝送パラメータは、マッピングにおける変調多値数である、請求の範囲第１８項から第２１項のいずれか１項に記載の送信装置。
【請求項２３】
複数の送信アンテナ（１０４−１、１０４−２）によって並列に送信信号（ｓ１、ｓ２）を送信する送信装置（５１Ａ；６１Ａ）と、前記送信信号（ｓ１、ｓ２）を複数の受信アンテナ（１０５−１〜１０５−２；１０５−１〜１０５−４）によって受信する受信装置（５２Ａ：６２Ａ）とを備えた無線通信システムであって、前記送信装置が送信した信号と、前記受信装置が検出した該信号を関係づけるチャネル行列（Ｈ）と、前記受信装置が送信した信号と、前記送信装置が検出した該信号を関係づけるチャネル行列（Ｈ）が同一になるような無線通信システムにおける送信装置において、
前記送信装置は、
前記チャネル行列を推定する推定手段（１０６）と、
前記チャネル行列のみに基づいて、信号系列ごとに無線回線品質を推定するための物理量を計算する計算手段（５０１；６０１）と、
前記計算手段が計算した物理量に基づいて無線回線品質を評価し、次回の伝送における伝送パラメータを信号系列ごとに決定する決定手段（１１１）と、
前記決定手段が決定した伝送パラメータにもとづいて、信号系列ごとに伝送の制御を行う手段（２０１−１，２０１−２）とを有し、
前記受信装置は、
前記送信装置から受信した信号から、前記伝送パラメータの変更を信号系列ごとに検出する手段（１０７）を有する、ことを特徴とする無線通信システム。
【請求項２４】
前記物理量は、前記受信装置の復調信号のＳＮＲである、請求の範囲第２３項に記載の無線通信システム。
【請求項２５】
前記物理量は、前記複数の送信アンテナが個別に信号を送信したと仮定した場合に、前記複数の受信アンテナがそれぞれ検出する信号のＳＮＲの総和である、請求の範囲第２３項に記載の無線通信システム。
【請求項２６】
前記物理量は、より大きな値を有する１つまたは複数の前記ＳＮＲの総和である、請求の範囲第２５項に記載の無線通信システム。
【請求項２７】
前記伝送パラメータは、マッピングにおける変調多値数である、請求の範囲第２３項から第２６項のいずれか１項に記載の無線通信システム。
【請求項２８】
送信装置（５１Ａ；６１Ａ）から複数の送信アンテナ（１０４−１，１０４−２）によって並列に送信された送信信号（ｓ１、ｓ２）を、複数の受信アンテナ（１０５−１〜１０５−２；１０５−１〜１０５−４）によって受信し、送信信号（ｓ１，ｓ２）と受信信号（ｒ１，ｒ２；ｒ１〜ｒ４）を関係づけるチャネル行列（Ｈ）を推定して、該チャネル行列に基づいて復調を行う受信装置（５２Ａ；６２Ａ）において、
前記送信装置から受信した信号から、伝送パラメータの変更を信号系列ごとに検出する手段（１０７）を有する、受信装置。
【発明の詳細な説明】
【技術分野】  本発明は、複数のアンテナを有する送信装置と、複数のアンテナを有する受信装置との間で、並列にデータを送受信する無線通信システムに関する。
【背景技術】  図１を参照して、従来技術の無線通信システムについて説明する。図示の無線通信システムは、複数のアンテナを有する送信装置２１と、複数のアンテナを有する受信装置２２とから構成されている。図示の例では、送信装置２１は２つのアンテナを有し、受信装置２２は２つのアンテナを有する。
送信装置２１は、直列並列変換装置１０１と、第１および第２のマッピング装置２０１−１、２０１−２と、第１および第２の送信アンテナ１０４−１、１０４−２とを含む。マッピング装置は、送信アンテナに対応して２つ備えられる。
送信装置２１へ供給されるビット列の入力信号ｄｉｎは、直列並列変換装置１０１に入力される。直列並列変換装置１０１は、入力信号ｄｉｎを、送信アンテナの数に対応した第１および第２の並列信号ｄ１、ｄ２に変換する。
第１および第２の並列信号ｄ１、ｄ２は、それぞれ、第１および第２のマッピング装置２０１−１、２０１−２に入力される。第１および第２のマッピング装置２０１−１，２０１−２は、変調多値数として、例えば４値ＰＳＫを用いる場合、第１および第２の並列信号（ｄ１、ｄ２）２ビットごとに１つのシンボルを割り当てる。第１および第２のマッピング装置２０１−１，２０１−２は、第１および第２の並列信号ｄ１、ｄ２を、それぞれ第１および第２の送信信号ｓ１、ｓ２に変換する。
第１および第２の送信信号ｓ１、ｓ２は、それぞれ、第１および第２の送信アンテナ１０４−１，１０４−２を介して、受信装置２２に送信される。
受信装置２２は、第１および第２の受信アンテナ１０５−１，１０５−２と、チャネル推定装置１０６と、復調装置１０８と、第１および第２のデマッピング装置２０２−１，２０２−２と、並列直列変換装置１１０とを含む。デマッピング装置は、送信アンテナに対応して２つ備えられる。
第１および第２の受信アンテナ１０５−１，１０５−２で受信される第１および第２の受信信号ｒ１、ｒ２は、第１および第２の送信信号ｓ１、ｓ２の合成波となっている。
チャネル推定装置１０６は、例えばパイロット信号と呼ばれる、送信装置２１と受信装置２２との双方において既知の信号を用いてチャネル行列Ｈを計算する。このパイロット信号は、第１および第２の送信信号ｓ１、ｓ２とは別に、送信装置２１から受信装置２２へ送信される。チャネル行列Ｈは、第１および第２の受信信号ｒ１、ｒ２と、第１および第２の送信信号ｓ１、ｓ２とを関係づける、下記の数１で表される行列のことである。
2005008931.tif 000003
なお、ｎ１、ｎ２は、それぞれ第１および第２の受信信号ｒ１、ｒ２に付加される第１および第２のノイズ信号である。
チャネル推定装置１０６は、受信装置２２にとっても既知である、送信装置２１が送信したパイロット信号と、受信装置２２が受信したこのパイロット信号とから、チャネル行列Ｈを計算する。
第１および第２の受信信号ｒ１、ｒ２は、復調装置１０８に入力される。復調装置１０８は、チャネル推定装置１０６からチャネル行列Ｈを受信し、チャネル行列Ｈの逆行列Ｈ−１を用いて、下記の数２に従って、第１および第２の復調信号ｙ１、ｙ２を得る。
2005008931.tif 000004
なお、チャネル行列Ｈは、その行列要素ｈｎｍ（ｎ＝１，２；ｍ＝１，２）が時間とともにダイナミックに変動するが、行列要素同士の相関が十分に低く、独立に変動しているとみなせる場合には、逆行列Ｈ−１が存在することが知られている。逆行列Ｈ−１が存在するときは、以上の方法による復調が可能になる。
第１および第２の復調信号ｙ１、ｙ２は、それぞれ、第１および第２のデマッピング装置２０２−１，２０２−２に入力される。第１および第２のデマッピング装置２０２−１，２０２−２は、第１および第２のマッピング装置２０１−１，２０１−２とは全く逆の手順により、第１および第２の復調信号ｙ１、ｙ２をそれぞれ
2005008931.tif 000005
値数として、例えば４値ＰＳＫが用いる場合、１シンボルの復調信号（ｙ１、ｙ２）が２ビットの再生並列信号に変換される。
2005008931.tif 000006
号ｄｏｕｔに変換し、受信装置２２から出力する。
ところで、上記の従来技術の無線システムにおいて、第１および第２の復調信号ｙ１、ｙ２の信号電力と雑音電力の比（ＳＮＲ）γ１、γ２は、それぞれ下記の数３、数４で表される。
2005008931.tif 000007
ただし、σ１２、σ２２は雑音電力を表わす。また、雑音電力σ２は、時間の関数としての復調信号をｙ（ｔ）（添え字は省略。以下、同じ）とすると、Ｋ個のサンプリング時間を用いて、下記の数５により求められる。
2005008931.tif 000008
本来、上記数５の右辺は、干渉電力と雑音電力の和を示す量であるが、上記の従来技術の無線通信システムでは、第１および第２の復調信号ｙ１、ｙ２をチャネル行列Ｈの逆行列Ｈ−１を用いて復調しているので、上記数２が示すように、第１および第２の復調信号ｙ１、ｙ２には干渉信号成分は存在しない。その理由は、上記数２の第１の復調信号ｙ１が第２の送信信号ｓ２に依存せず、第２の復調信号ｙ２が第１の送信信号ｓ１に依存しないからである。よって、上記数５の右辺は、雑音電力σ２に等しくなる。
このように、第１および第２の復調信号ｙ１、ｙ２を測定して、上記数５にあてはめれば、第１および第２の雑音電力σ１２、σ２２が求まる。しかし、雑音電力σ２は、一般に、受信アンテナ１０５に含まれる増幅器において発生するノイズ信号によってほぼ決定される。したがって、同じ種類の受信アンテナ、同じ種類の増幅器を同じ環境で用いている場合には、第１および第２の復調信号ｙ１、ｙ２についての第１および第２の雑音電力σ１２、σ２２は等しいとみなせる（σ１２＝σ２２）。また、雑音電力σ２は、時間変化をそれほどともなうものでもないので、一度計算してしまえば、既知の値（σ１２＝σ２２＝ｃｏｎｓｔ．）としても差し支えない。
また、第１および第２の送信信号の２乗の時間平均｜ｓ１｜２、｜ｓ２｜２は、無線通信システムにおいて既知の値で、なおかつ等しい（｜ｓ１｜２＝｜ｓ２｜２＝ｃｏｎｓｔ．）。
以上により、上記の従来技術の無線通信システムにおいては、チャネル行列Ｈを求めると、第１および第２の復調信号ｙ１、ｙ２の第１および第２のＳＮＲγ１、γ２を計算することができる。
ここで、ダイナミックに変動するチャネル行列Ｈの行列要素ｈｎｍ（ｎ＝１，２；ｍ＝１，２）が、例えば、｜ｈ２２｜２＋｜ｈ１２｜２＝２（｜ｈ２１｜２＋｜ｈ１１｜２）を満たすような値となっているとする。この場合、γ２＝２γ１となり、第２の復調信号ｙ２のＳＮＲは、第１の復調信号ｙ１のＳＮＲの２倍であることがわかる。ここで、第１の復調信号ｙ１のＳＮＲが所要値に等しい場合、第２の復調信号ｙ２のＳＮＲは過剰ということになり、効率的に情報を伝送するという点では好ましいとは言えない。効率的に情報を伝送するには、変調多値数などの伝送パラメータを適応的に制御して、過剰になったＳＮＲをむしろ伝送速度を上げるために活用したほうが得策である。
従来技術のなかには、ＳＮＲなどに代表される、回線品質を推定するための物理量にもとづいて伝送パラメータを制御する技術がいくつか含まれている。例えば、１つのアンテナを有する送信装置と、１つのアンテナを有する受信装置からなる無線通信システムにおいて、符号誤り率などの物理量にもとづいて伝送パラメータを制御する技術が開示されている（特開昭５７−１５５８５６号公報、特開２００１−１０３０４１号公報参照）。また、同一の信号を送信する複数のアンテナを有する送信装置と通信する１つの受信装置が、回線品質にもとづいて、送信装置のアンテナを択一的に選択する技術も開示されている（特開２００３−７８４８０号公報参照）。
しかしながら、本発明が対象とするような、複数のアンテナを有する送信装置と、複数のアンテナを有する受信装置の間で、データを並列に送受信する無線通信システムにおいては、回線品質にもとづいて伝送パラメータを制御する技術はこれまで提案されていない。
本発明の目的は、データを並列に送受信する、複数のアンテナを有する送信装置と、複数のアンテナを有する受信装置とからなり、回線品質にもとづいて伝送パラメータを制御する無線通信システムを提供することにある。
【発明の開示】
本発明では、受信装置が、復調信号を計測して、信号系列ごとに、ＳＩＮＲ（信号電力と、干渉電力と雑音電力の和との比）などの無線回線品質を推定するための物理量を計算する。そして、この物理量にもとづいて、信号系列ごとに、送信装置が伝送の制御の際に用いる伝送パラメータを決定し、これを送信装置にフィードバックする。送信装置は、この伝送パラメータにもとづいて、信号系列ごとに伝送を制御する。
なお、受信装置が、送信装置が並列に送信した送信信号と、受信装置が受信した受信信号を関係づけるチャネル行列を推定し、これにもとづいて受信信号の復調を行う場合、無線回線品質を推定するための物理量は、このチャネル行列のみによって計算できる。
例えば、復調信号のＳＮＲ（信号電力と雑音電力の和の比）は、チャネル行列のみによって計算可能である。チャネル行列にもとづいて復調を行う場合、復調信号には干渉信号成分がないので、復調信号のＳＮＲとＳＩＮＲは等しい。
さらに、チャネル行列にもとづいて復調を行う場合には、複数の送信アンテナが個別に信号を送信したと仮定した場合に、複数の受信アンテナがそれぞれ検出する信号のＳＮＲの総和を、復調信号のＳＮＲまたはＳＩＮＲとみなしてもよい。この量もチャネル行列のみによって計算できる。
このような構成を備えた本発明によれば、複数のアンテナを有する送信装置と、複数のアンテナを有する受信装置の間で、データを並列に送受信するシステムにおいて、回線品質に応じた効率的な伝送が実現できる。
【図面の簡単な説明】  図１は従来技術の無線通信システムの構成を示したブロック図である。
図２は本発明の第１の実施形態に係る無線通信システムの構成を示したブロック図である。
図３は４値ＰＳＫ、８値ＰＳＫ、１６値ＰＳＫを用いた場合のビット誤り率を示すグラフである。
図４は本発明の第２の実施形態に係る無線通信システムの構成を示したブロック図である。
図５は本発明の第３の実施形態に係る無線通信システムの構成を示したブロック図である。
図６は本発明の第４の実施形態に係る無線通信システムの構成を示したブロック図である。
図７は本発明の第５の実施形態に係る無線通信システムの構成を示したブロック図である。
図８は本発明の第６の実施形態に係る無線通信システムの構成を示したブロック図である。
【発明を実施するための最良の形態】  次に、本発明の実施の形態について、図面を参照して詳細に説明する。
（第１の実施形態）
図２を参照して、本発明の第１の実施形態による無線通信システムについて説明する。図示の無線通信システムは、複数のアンテナを有する送信装置３１と、複数のアンテナを有する受信装置３２とから構成されている。図示の例では、送信装置３１は２つのアンテナを有し、受信装置３２は２つのアンテナを有する。
送信装置３１は、直列並列変換装置１０１と、第１および第２のマッピング装置２０１−１，２０１−２と、第１および第２の送信アンテナ１０４−１，１０４−２とを含む。マッピング装置は、送信アンテナに対応して２つ備えられる。
送信装置３１は、以下に述べる１点を除いて、図１に示した従来技術の送信装置２１と同じである。この１点とは、第１および第２のマッピング装置２０１−１，２０１−２が、受信装置３２から伝送パラメータ制御信号Ｘｃｔｒｌを受信し、伝送パラメータ制御信号Ｘｃｔｒｌにもとづいて、伝送パラメータである変調多値数を適応的に制御する点である。このために、送信装置３１は、２つの受信アンテナ１０５−３，１０５−４と受信回路７２とを備えている。
第１および第２のマッピング装置２０１−１，２０１−２が、例えば４値ＰＳＫを用いて、第１および第２の並列信号（ｄ１、ｄ２）２ビットごとに１つのシンボルを割り当て、第１および第２の並列信号ｄ１、ｄ２をそれぞれ第１および第２の送信信号ｓ１、ｓ２に変換していたとする。この場合、第１および第２のマッピング装置２０１−１，２０１−２は、受信回路７２で受信した伝送パラメータ制御信号Ｘｃｔｒｌに基づいて、例えば８値ＰＳＫを用いて、第１および第２の並列信号（ｄ１、ｄ２）３ビットごとに１つのシンボルを割り当て、第１および第２の並列信号ｄ１、ｄ２をそれぞれ第１および第２の送信信号ｓ１、ｓ２に変換するように変更したりする。
この伝送パラメータ制御信号Ｘｃｔｒｌは、受信装置３２の伝送パラメータ決定装置１１１の出力である次回伝送パラメータ制御信号Ｘｎｅｘｔがフィードバックされたものである。フィードバックは、例えば、受信装置３２から送信装置３１に向かって送信される信号の主信号または制御信号に含めて行う。このために、受信装置３２は、送信回路７１と２つの送信アンテナ１０４−３、１０４−４とを備えている。
受信装置３２は、受信アンテナ１０５と、チャネル推定装置１０６と、伝送パラメータ推定装置１０７と、復調装置１０８と、第１および第２のデマッピング装置２０２−１，２０２−２と、並列直列変換装置１１０と、ＳＩＮＲ推定装置３０１と、伝送パラメータ決定装置１１１とを有する。デマッピング装置は、送信アンテナに対応して２つ備えられる。
受信装置３２は、図１に示した従来技術の受信装置２２に対して新たに、伝送パラメータ推定装置１０７と、ＳＩＮＲ推定装置３０１と、伝送パラメータ決定装置１１１とが追加されている。さらに、第１および第２のデマッピング装置２０２−１，２０２−２が、伝送パラメータ推定装置１０７から伝送パラメータ推定信号Ｘｅｓｔを受信し、この伝送パラメータ推定信号Ｘｅｓｔに基づいて、第１および第２の復調信号ｙ１、ｙ２を再生並列信号に変換する点が異なる。これら以外の部分は、図１に示した従来技術の受信装置２２と同じである。
伝送パラメータ推定装置１０７は、第１および第２の受信信号ｒ１、ｒ２から伝送パラメータを推定する。本実施形態では、変調多値数を推定することになる。伝送パラメータは、例えば、主信号に付属する制御信号を復調したり、第１および第２の受信信号ｒ１、ｒ２の波形から推定したりして得ることができる。本発明において伝送パラメータ推定装置が必要となるのは、送信装置側で、伝送パラメータを適応的に変化させるので、デマッピングないし復号を行う受信装置側で、変化された伝送パラメータを知る必要があるためである。
第１および第２のデマッピング装置２０２−１，２０２−２は、伝送パラメータ推定装置１０７から伝送パラメータ推定信号Ｘｅｓｔを受信し、この伝送パラメータ推定信号Ｘｅｓｔに基づいて第１および第２の復調信号ｙ１、ｙ２を再生並列信号に変換する。例えば、伝送パラメータ推定信号Ｘｅｓｔが８値ＰＳＫの使用を示唆するものであったとする。この場合、１シンボルの第１および第２の復調信号（ｙ１、ｙ２）が３ビットの再生並列信号になるように、第１および第２の復調信号ｙ１、ｙ２を再生並列信号に変換する。
ＳＩＮＲ推定装置３０１は、第１および第２の復調信号ｙ１、ｙ２を基に、信号電力と、干渉電力と雑音電力の和との比（ＳＩＮＲ）を計算し、計算したＳＩＮＲを伝送パラメータ決定装置１１１に送信する。ＳＩＮＲは、時間の関数としての復調信号をｙ（ｔ）（添え字は省略。以下同じ）とすると、Ｋ個のサンプリング時間を用いて、下記の数６のように表わせる。
2005008931.tif 000009
このＳＩＮＲをＳＩＮＲ推定装置３０１は、第１および第２の復調信号ｙ１、ｙ２について求める。
なお、本実施形態では、第１および第２の復調信号ｙ１、ｙ２をチャネル行列Ｈの逆行列Ｈ−１を用いて復調しているので、上記数２が示すように、第１および第２の復調信号ｙ１、ｙ２には干渉信号成分は存在しない（すなわち、上記数２の第１の復調信号ｙ１が第２の送信信号ｓ２に依存せず、第２の復調信号ｙ２が第１の送信信号ｓ１に依存しない）。したがって、本実施形態の場合、上記数６によって計算されるＳＩＮＲはＳＮＲに等しくなる。無論、他の復調方法（例えば、最尤系列推定法、干渉キャンセラーなど）によった場合は、ＳＩＮＲは必ずしもＳＮＲに等しくなるわけではない。
伝送パラメータ決定装置１１１は、ＳＩＮＲ推定装置３０１から、第１および第２の復調信号ｙ１、ｙ２についてのＳＩＮＲを受信し、このＳＩＮＲに基づいて、次回の伝送における伝送パラメータを決定し、次回伝送パラメータ制御信号Ｘｎｅｘｔを出力する。この次回伝送パラメータ制御信号Ｘｎｅｘｔは、送信回路７１から２つの送信アンテナ１０４−１、１０４−２を介して送信装置３１へ送信される。
無線通信においては、チャネル推定や制御信号の送信などのために、通常、スロット化またはフレーム化が行われている。伝送パラメータも、単スロットまたはフレーム、あるいは、複数スロットまたはフレームごとに制御する。したがって、「次回」とは、次の単（複数）フレームまたはスロットを指している。
次回伝送パラメータ制御信号Ｘｎｅｘｔは、前述したように、送信装置３１にフィードバックされ（２つの受信アンテナ１０５−３、１０５−４を介して受信回路７２で受信され）、伝送パラメータ制御信号Ｘｃｔｒｌとして、第１および第２のマッピング装置２０１−１、２０１−２へ入力される。
次に、伝送パラメータ決定装置１１１の動作について、具体例を挙げて説明する。
第１および第２の送信信号ｓ１、ｓ２の変調多値数がともに４値ＰＳＫで、ＳＩＮＲ推定装置３０１で計算した第１の復調信号ｙ１のＳＩＮＲが７．４ｄＢ、第２の復調信号ｙ２のＳＩＮＲが１７．４ｄＢであったとする。ここで、所要の回線品質をビット誤り率１％とすると、図３より、第１の送信信号ｓ１に対しては４値ＰＳＫが妥当であるが、第２の送信信号ｓ２に対しては１６値ＰＳＫが適用可能であることがわかる。そこで、伝送パラメータ決定装置１１１は、第１および第２の送信信号ｓ１、ｓ２に対して、それぞれ４値ＰＳＫ、１６値ＰＳＫを用いることを指定する次回伝送パラメータ制御信号Ｘｎｅｘｔを出力する。
以上により、第１の送信信号ｓ１では１シンボル当たり２ビットを、第２の送信信号ｓ２では１シンボル当たり４ビットのデータを伝送することができ、４値ＰＳＫで固定していた場合に比べ、所要の回線品質を満たしながら効率的な伝送が実現できる。
（第２の実施形態）
図４を参照して、本発明の第２の実施形態による無線通信システムについて説明する。図示の無線通信システムは、複数のアンテナを有する送信装置５１と、複数のアンテナを有する受信装置５２とを備えている。図示の例では、送信装置５１は２つのアンテナを有し、受信装置５２は２つのアンテナを有する。
送信装置５１は、図２の第１の実施形態の送信装置３１と同じである。
受信装置５２は、図２の第１の実施形態の受信装置３２と比べて、ＳＩＮＲ推定装置３０１の代わりにＳＮＲ推定装置５０１が設けられている点のみが異なる。
ＳＮＲ推定装置５０１は、ＳＩＮＲ推定装置３０１のように第１および第２の復調信号ｙ１、ｙ２を入力とするのではなく、チャネル推定装置１０６の出力であるチャネル行列Ｈを入力として、ＳＮＲを計算する。
本来、回線品質を推定するための物理量としてはＳＩＮＲが望ましいが、前述したように、チャネル行列Ｈの逆行列Ｈ−１による復調処理においては、第１および第２の復調信号ｙ１、ｙ２に干渉信号がないため（すなわち、上記数２の第１の復調信号ｙ１が第２の送信信号ｓ２に依存せず、第２の復調信号ｙ２が第１の送信信号ｓ１に依存しないため）、ＳＩＮＲはＳＮＲに等しくなる。
ＳＮＲ推定装置５０１は、チャネル行列Ｈから、上記数３と上記数４とに基づいて、第１および第２の復調信号ｙ１、ｙ２のＳＮＲを計算する（前述したように、σ１２＝σ２２＝ｃｏｎｓｔ．、｜ｓ１｜２＝｜ｓ２｜２＝ｃｏｎｓｔ．で、すべて既知の値である）。計算したＳＮＲは、伝送パラメータ決定装置１１１に送出される。
次に、伝送パラメータ決定装置１１１の動作について、具体例を挙げて説明する。
例えば、｜ｈ１１｜２＝１、｜ｈ１２｜２＝０．５、｜ｈ２１｜２＝２、｜ｈ２２｜２＝０．５であるチャネル行列Ｈがチャネル推定装置１０６によって推定され、これら基づいて、ＳＮＲ推定装置５０１がＳＮＲを計算すると、γ１＝３γ２となる。ここで、第２のＳＮＲγ２が７．４ｄＢであるとすると、第１のＳＮＲγ１は約１２．１ｄＢとなる。図３からわかるように、４値ＰＳＫで回線品質であるビット誤り率１％を得るためには、７．４ｄＢのＳＮＲで良いことがわかる。したがって、所要の回線品質がビット誤り率１％の場合、第２の送信信号ｓ２は４値ＰＳＫが妥当である。しかし、８値ＰＳＫを用いた場合には、回線品質であるビット誤り率１％を１２ｄＢのＳＮＲで実現できるため、第１の送信信号ｓ１に対しては、８値ＰＳＫを用いても所要の回線品質を満たしていることがわかる。そこで、伝送パラメータ決定装置１１１は、次回の伝送パラメータとして、第１の送信信号ｓ１には８値ＰＳＫを、第２の送信信号ｓ２には４値ＰＳＫを用いるような次回伝送パラメータ制御信号Ｘｎｅｘｔ出力する。送信装置５１は、次回の伝送において、第１の送信信号ｓ１を８値ＰＳＫで、第２の送信信号ｓ２を４値ＰＳＫで伝送する。これにより、ともに４値ＰＳＫを用い続ける場合に比べ、高速な伝送が期待できる。
（第３の実施形態）
図５を参照して、本発明の第３の実施形態に係る無線通信システムについて説明する。図示の無線通信システムは、複数のアンテナを有する送信装置６１と、複数のアンテナを有する受信装置６２とを備えている。図示の例では、送信装置６１は２つのアンテナを有し、受信装置６２は４つのアンテナを有する。
送信装置６１は、図２に示した第１の実施形態の送信装置３１、および、図４に示した第２の実施形態の送信装置５１と同じである。
受信装置６２は、図２に示した第１の実施形態の受信装置３２、または、図４に示した第２の実施形態の送信装置５２と比べて、次の２点において異なる。
１つは、受信アンテナ１０５が４つになったことにともなう相違であり、チャネル推定装置１０６は、下記の数７に示す４×２のチャネル行列Ｈを求め、復調装置１０８に送出する。
2005008931.tif 000010
この４×２のチャネル行列Ｈも、行列要素同士の相関が十分に低く、独立に変動しているとみなせる場合には、ＨＨをチャネル行列Ｈの複素共役転置行列として、Ｈ＋＝（ＨＨＨ）−１ＨＨなる行列（Ｍｏｏｒｅ−Ｐｅｎｒｏｓｅ  ｇｅｎｅｒａｌｉｚｅｄ  ｉｎｖｅｒｓｅ）が存在することが知られており、以下の方法による復調が可能になる。
復調装置１０８は、下記の数８に示すように、この行列Ｈ＋を用いて、第１乃至第４の受信信号ｒ１、ｒ２、ｒ３、ｒ４から第１および第２の復調信号ｙ１、ｙ２を得る。
2005008931.tif 000011
もう１つは、図２に示す第１の実施形態に係るＳＩＮＲ推定装置３０１、または、図４に示す第２の実施形態に係るＳＮＲ推定装置５０１の代わりに、送受信アンテナ間ＳＮＲ推定装置６０１が設けられている点である。
送受信アンテナ間ＳＮＲ推定装置６０１は、図４に示す第２の実施形態に係るＳＮＲ推定装置５０１と同様に、チャネル推定装置１０６からチャネル行列Ｈを受信する。このチャネル行列Ｈを用いて、送受信アンテナ間ＳＮＲ推定装置６０１は、第１乃至第４の受信アンテナ１０５−１〜１０５−４が第１および第２の送信信号ｓ１、ｓ２を個別に受信したと考えた場合の受信信号のＳＮＲを下記の数９により計算する。
2005008931.tif 000012
ここでは、第１の送信信号ｓ１を送信するアンテナを第１の送信アンテナ１０４−１、第２の送信信号ｓ２を送信するアンテナを第２の送信アンテナ１０４−２、第１の受信信号ｙ１を検出するアンテナを第１の受信アンテナ１０５−１、第２の受信信号ｙ２を検出するアンテナを第２の受信アンテナ１０５−２、第３の受信信号ｙ３を検出するアンテナを第３の受信アンテナ１０５−３、受信信号ｙ４を検出するアンテナを第４の受信アンテナ１０５−４とする。第１の送信アンテナ１０４−１が第１の送信信号ｓ１を送信し、これを第１の受信アンテナ１０５−１が受信した場合のその信号のＳＮＲがγ１１、これを第２の受信アンテナ１０５−２が受信した場合のその信号のＳＮＲがγ２１、これを第３の受信アンテナ１０５−３が受信した場合のその信号のＳＮＲがγ３１、これを第４の受信アンテナ１０５−４が受信した場合のその信号のＳＮＲがγ４１となる。また、第２の送信アンテナ１０４−２が第２の送信信号ｓ２を送信し、これを第１の受信アンテナ１０５−１が受信した場合のその信号のＳＮＲがγ１２、これを第２の受信アンテナ１０５−２が受信した場合のその信号のＳＮＲがγ２２、これを第３の受信アンテナ１０５−３が受信した場合のその信号のＳＮＲがγ３２、これを第４の受信アンテナ１０５−４が受信した場合のその信号のＳＮＲがγ４２となる。
また、前述したように、σ１２＝σ２２＝σ３２＝σ４２−ｃｏｎｓｔ．、｜ｓ１｜２＝｜ｓ２｜２＝ｃｏｎｓｔ．で、すべて既知の値であるから、チャネル行列Ｈが求まれば、ＳＮＲγｎｍを計算することができる。
送受信アンテナ間ＳＮＲ推定装置６０１は、以上のようにして求めたγｎｍを、伝送パラメータ決定装置１１１に送出する。
伝送パラメータ決定装置１１１は、送受信アンテナ間ＳＮＲ推定装置６０１からＳＮＲγｎｍを受信する。例えば、受信したＳＮＲγｎｍにγ１１＞γ２１＞γ３１＞γ４１およびγ１２＞γ２２＞γ３２＞γ４２の関係があったとする。この場合、例えば、第１および第２の送信信号ｓ１、ｓ２ごとに最も大きいＳＮＲを２つ選択し、選択されたＳＮＲを加算したものを、第１および第２の復調信号ｙ１、ｙ２のＳＮＲとみなす。すなわち、第１および第２の復調信号ｙ１、ｙ２のＳＮＲは、それぞれγ１＝γ１１＋γ２１およびγ２＝γ１２＋γ２２となる。ここで得られたＳＮＲγ１、γ２に基づいて、伝送パラメータ決定装置１１１は、第１の実施形態、第２の実施形態と同様に適切な伝送パラメータを選択し、次回伝送パラメータ制御信号Ｘｎｅｘｔを出力する。これにより、効率の高い伝送が期待できる。
（第４の実施形態）
図６を参照して、本発明の第４の実施形態に係る無線通信システムについて説明する。図示の無線通信システムは、複数のアンテナを有する送信装置１１と、複数のアンテナを有する受信装置１２とから構成されている。図示の例では、送信装置１１はＭ個のアンテナを有し、受信装置１２はＮ個のアンテナを有する。
本実施形態は、図２に示す第１の実施形態に係る無線通信システムをベースにして、一般化を図った実施形態である。
図２に示す第１の実施形態に係る無線通信システムと比べると、各装置がアンテナ数の変化に起因する変更を受ける点、送信装置１１に符号化装置１０２が設けられる点、デマッピング装置２０２の代わりに復号装置１０９が設けられる点、復調装置１０８の復調方法が一般化される点、回線品質を推定するための物理量を計算する機能を一般化し、これを伝送パラメータ決定装置１１１に具備させることで、ＳＩＮＲ推定装置３０１が省略されている点が異なる。
以下で、上記相違点に留意して、本実施形態に係る無線通信システムについて説明する。
直列並列変換装置１０１は、ビット列の入力信号ｄｉｎを、送信アンテナ１０４の数Ｍと等しい数の第１乃至第Ｍの並列信号ｄ１〜ｄＭに変換する。符号化装置１０２は、伝送パラメータ制御信号Ｘｃｔｒｌを受信し、これに基づいて第１乃至第Ｍの並列信号ｄ１〜ｄＭを誤り訂正符号化し、第１乃至第Ｍの誤り訂正符号化信号ｃ１〜ｃＭを出力する。このとき、伝送パラメータ制御信号Ｘｃｔｒｌに基づいて、符号化装置１０２は誤り訂正符号の構成や、符号化率を制御する。
マッピング装置１０３は、伝送パラメータ制御信号Ｘｃｔｒｌを受信し、これに基づいて第１乃至第Ｍの誤り訂正符号化信号ｃ１〜ｃＭをそれぞれ第１乃至第Ｍの送信信号ｓ１〜ｓＭに変換する。例えば、変調多値数が４値ＰＳＫの場合には、マッピング装置１０３は２ビットの入力に対して１シンボルを出力する。変調多値数が８値ＰＳＫの場合には、マッピング装置１０３は３ビットの入力に対して１シンボルを出力する。このとき、伝送パラメータ制御信号Ｘｃｔｒｌに基づいて、マッピング装置１０３はこれらの変調多値数を制御する。
なお、伝送パラメータ制御信号Ｘｃｔｒｌは、伝送パラメータ決定装置１１１の出力である次回伝送パラメータ制御信号Ｘｎｅｘｔがフィードバックされたものである。第１乃至第Ｍの送信信号ｓ１〜ｓＭは、それぞれ第１乃至第Ｍの送信アンテナ１０４−１〜１０４−Ｍによって、受信装置１２に送信される。
第１乃至第Ｎの受信アンテナ１０５−１〜１０５−Ｎによって検出された第１乃至第Ｎの受信信号ｒ１〜ｒＮは、伝送パラメータ推定装置１０７、復調装置１０８の入力となる。
チャネル推定装置１０６は、前述のように、例えばパイロット信号を用いて、下記の数１０のＮ×Ｍのチャネル行列Ｈを計算する。
2005008931.tif 000013
伝送パラメータ推定装置１０７は、第１乃至第Ｎの受信信号ｒ１〜ｒＮから伝送パラメータを推定する。復調装置１０８は、チャネル行列Ｈと第１乃至第Ｎの受信信号ｒ１〜ｒＮを、さらには、伝送パラメータ推定装置１０７からの伝送パラメータ推定信号Ｘｅｓｔを入力として、第１乃至第Ｍの復調信号ｙ１〜ｙＭを生成する。復調方法としては、第１から第３の実施形態と同様、チャネル行列Ｈを用いた復調がまず挙げられる。この場合、下記の数１１のようにして、復調装置１０８は第１乃至第Ｍの復調信号ｙ１〜ｙＭを生成する。ただし、Ｈ＋＝（ＨＨＨ）−１ＨＨ（Ｎ≧Ｍ）、Ｈ＋＝ＨＨ（ＨＨＨ）−１（Ｎ≦Ｍ）である。
2005008931.tif 000014
その他の復調方法としては、最尤系列推定法、干渉キャンセラーなどが挙げられる。これらの場合は、復調には伝送パラメータ推定信号Ｘｅｓｔが必要である。復調装置１０８は、最尤系列推定法におけるレプリカ信号生成、干渉キャンセラーにおけるレプリカ信号生成などにおける伝送パラメータを伝送パラメータ推定信号Ｘｅｓｔによって制御する。
復号装置１０９は、伝送パラメータ推定信号Ｘｅｓｔに基づいて、第１乃至第Ｍの
2005008931.tif 000015
装置１０９としては、ＭＡＰ復号器、軟判定ビタビ復号器などが用いられる。復号装置１０９は、例えば、第１乃至第Ｍの復調信号ｙ１〜ｙＭからビット尤度比を用いて復調する場合、第１乃至第Ｍの送信信号ｓ１〜ｓＭが受けたチャネル変動が必要なため、チャネル推定装置１０６からチャネル行列Ｈを受信するようにする。
2005008931.tif 000016
号ｄｏｕｔに変換し、これを受信装置１２から出力する。
伝送パラメータ決定装置１１１は、第１乃至第Ｍの復調信号ｙ１〜ｙＭを用いて回線品質を評価する。例えば、伝送パラメータ決定装置１１１は、上記数６に示すＳＩＮＲを計算し、回線品質を評価する。これに基づいて、伝送パラメータ決定装置１１１は、次回の伝送に用いる伝送パラメータを決定し、次回伝送パラメータ制御信号Ｘｎｅｘｔを出力する。次回伝送パラメータ制御信号Ｘｎｅｘｔは、送信装置１１へフィードバックされる。
本実施形態では、伝送パラメータとして、４値ＰＳＫ、８値ＰＳＫなどの変調多値数、誤り訂正符号化における符号化率や符号語構成などを用いているが、その他には、スペクトル拡散通信方式においては拡散率やホッピングパターン、マルチキャリア通信においてはキャリア数や送信電力配分などが挙げられる。
なお、第２および第３の実施形態では、受信装置５２、６２に、回線品質を推定するための物理量を計算する装置（ＳＮＲ推定装置５０１、送受信アンテナ間ＳＮＲ推定装置６０１）と、伝送パラメータ決定装置１１１を設ける形態のみを説明した。しかしながら、送信装置５１、６１から受信装置５２、６２へのチャネル行列（すなわち、送信装置５１、６１から送信された信号と、これを受信装置５２、６２で検出した信号を関係づける行列）と、受信装置５２、６２から送信装置５１、６１へのチャネル行列（すなわち、受信装置５２、６２から送信された信号と、これを送信装置５１、６１で検出した信号を関係づける行列）が同じならば、送信装置５１、６１においても、送信装置５１、６１から受信装置５２、６２へのチャネル行列を推定することが可能である。
（第５の実施形態）
図７を参照して、本発明の第５の実施形態に係る無線通信システムについて説明する。図示の無線通信システムは、送信装置５１Ａに、チャネル推定装置１０６とＳＮＲ推定装置５０１と伝送パラメータ決定装置１１１とを追加し、受信装置５２Ａから、ＳＮＲ推定装置５０１と伝送パラメータ決定装置１１１とを削除した点を除いて、図４に図示した無線通信システムと同様の構成を有する。
尚、図７には図示をしていないが、送信装置５１Ａは、受信装置５２Ａから送信されてきた送信信号を受信するための２つのアンテナを備え、これら２つのアンテナで受信された受信信号がチャネル推定装置１０６に供給される。
このような構成の無線通信システムは、図４に示した第２の実施形態に係る無線通信システムと同様な効果が得られる。この場合、受信装置５２Ａから送信装置５１Ａへ次回伝送パラメータ制御信号Ｘｎｅｘｔをフィードバックしなくてもよいので、無線資源の節約にはなる。なぜなら、この場合の回線品質を推定するための物理量（ＳＮＲ）は、復調信号を計測する必要はなく、チャネル行列のみによって計算することができるからである。
（第６の実施形態）
図８を参照して、本発明の第６の実施形態に係る無線通信システムについて説明する。図示の無線通信システムは、送信装置６１Ａに、チャネル推定装置１０６と、送受信アンテナ間ＳＮＲ推定装置６０１と伝送パラメータ決定装置１１１とを追加し、受信装置６２Ａから、送受信アンテナ間ＳＮＲ推定装置６０１と伝送パラメータ決定装置１１１とを削除した点を除いて、図５に図示した無線通信システムと同様の構成を有する。
尚、図８には図示をしていないが、送信装置６１Ａは、受信装置６２Ａから送信されてきた送信信号を受信するための２つのアンテナを備え、これら２つのアンテナで受信された受信信号がチャネル推定装置１０６に供給される。
このような構成の無線通信ンシステムは、図５に示した第３の実施形態に係る無線通信システムと同様な効果が得られる。この場合、受信装置６２Ａから送信装置６１Ａへ次回伝送パラメータ制御信号Ｘｎｅｘｔをフィードバックしなくてもよいので、無線資源の節約にはなる。なぜなら、この場合の回線品質を推定するための物理量（送受信アンテナ間ＳＮＲ）は、復調信号を計測する必要はなく、チャネル行列のみによって計算することができるからである。
【図１】
2005008931.tif 000017
【図２】
2005008931.tif 000018
【図３】
2005008931.tif 000019
【図４】
2005008931.tif 000020
【図５】
2005008931.tif 000021
【図６】
2005008931.tif 000022
【図７】
2005008931.tif 000023
【図８】
2005008931.tif 000024
【手続補正書】
【提出日】平成17年6月13日(2005.6.13)
【手続補正１】
【補正対象書類名】特許請求の範囲
【補正対象項目名】全文
【補正方法】変更
【補正の内容】
【書類名】請求の範囲
【請求項１】（削除）
【請求項２】（削除）
【請求項３】（削除）
【請求項４】（削除）
【請求項５】（削除）
【請求項６】（削除）
【請求項７】送信装置（５１；６１）から複数の送信アンテナ（１０４−１，１０４−２）によって並列に送信された送信信号（ｓ１、ｓ２）を、複数の受信アンテナ（１０５−１〜１０５−２；１０５−１〜１０５−４）によって受信し、送信信号（ｓ１，ｓ２）と受信信号（ｒ１，ｒ２；ｒ１〜ｒ４）を関係づけるチャネル行列（Ｈ）を推定して、該チャネル行列に基づいて復調を行う受信装置（５２；６２）において、
前記チャネル行列（Ｈ）のみに基づいて、信号系列ごとに無線回線品質を推定するための物理量を計算する計算手段（５０１；６０１）と、
前記計算手段が計算した物理量にもとづいて無線回線品質を評価し、前記送信装置による次回の伝送における伝送パラメータ（Ｘｎｅｘｔ）を信号系列ごとに決定する決定手段（１１１）と、
前記決定手段が決定した伝送パラメータを前記送信装置に送信する送信手段（７１）と、
前記受信信号から伝送パラメータの変更を信号系列ごとに検出する検出手段（１０７）とを有することを特徴とする受信装置。
【請求項８】前記物理量は、復調信号のＳＮＲである、請求の範囲第７項に記載の受信装置。
【請求項９】前記物理量は、前記複数の送信アンテナが個別に信号を送信したと仮定した場合に、前記複数の受信アンテナがそれぞれ検出する信号のＳＮＲの総和である、請求の範囲第７項に記載の受信装置。
【請求項１０】前記物理量は、より大きな値を有する１つまたは複数の前記ＳＮＲの総和である、請求の範囲第９項に記載の受信装置。
【請求項１１】前記伝送パラメータは、マッピングにおける変調多値数である、請求の範囲第７項から第１０項のいずれか１項に記載の受信装置。
【請求項１２】複数の送信アンテナ（１０４−１、１０４−２）によって並列に送信信号（ｓ１、ｓ２）を送信する送信装置（５１；６１）と、前記送信信号（ｓ１、ｓ２）を複数の受信アンテナ（１０５−１〜１０５−２；１０５−１〜１０５−４）によって受信し、送信信号（ｓ１，ｓ２）と受信信号（ｒ１，ｒ２；ｒ１〜ｒ４）を関係づけるチャネル行列（Ｈ）を推定して、該チャネル行列に基づいて復調を行う受信装置（５２；６２）とを備えた無線通信システムにおいて、
前記受信装置は、
前記チャネル行列（Ｈ）のみに基づいて、信号系列ごとに無線回線品質を推定するための物理量を計算する計算手段（５０１；６０１）と、
前記計算手段が計算した物理量に基づいて無線回線品質を評価し、前記送信装置による次回の伝送における伝送パラメータ（Ｘｎｅｘｔ）を信号系列ごとに決定する決定手段（１１１）と、
前記決定手段が決定した伝送パラメータを前記送信装置に送信する送信手段（７１）と、
前記受信信号から伝送パラメータの変更を信号系列ごとに検出する検出手段（１０７）とを有し、
前記送信装置は、
前記決定手段が送信した前記伝送パラメータを受信する受信手段（７２）と、前記受信手段で受信した前記伝送パラメータに基づいて、信号系列ごとに伝送を制御する手段（２０１−１，２０１−２）とを有する、ことを特徴とする無線通信システム。
【請求項１３】前記物理量は、復調信号のＳＮＲである、請求の範囲第１２項に記載の無線通信システム。
【請求項１４】前記物理量は、前記複数の送信アンテナが個別に信号を送信したと仮定した場合に、前記複数の受信アンテナがそれぞれ検出する信号のＳＮＲの総和である、請求の範囲第１２項に記載の無線通信システム。
【請求項１５】前記物理量は、より大きな値を有する１つまたは複数の前記ＳＮＲの総和である、請求の範囲第１４項に記載の無線通信システム。
【請求項１６】前記伝送パラメータは、マッピングにおける変調多値数である、請求の範囲第１２項から第１５項のいずれか１項に記載の無線通信システム。
【請求項１７】（削除）
【請求項１８】複数の受信アンテナ（１０５−１、１０５−２；１０５−１〜１０５−４）によって受信を行う受信装置（５２Ａ：６２Ａ）へ、複数の送信アンテナ（１０４−１、１０４−２）によって並列にデータを送信する送信装置（５１Ａ；６１Ａ）であって、該送信装置が送信した信号と、前記受信装置が検出した該信号を関係づけるチャネル行列と、前記受信装置が送信した信号と、前記送信装置が検出した該信号を関係づけるチャネル行列が同一になるような無線通信システムにおける送信装置において、
前記チャネル行列を推定する推定手段（１０６）と、
前記チャネル行列のみに基づいて、信号系列ごとに無線回線品質を推定するための物理量を計算する計算手段（５０１；６０１）と、
前記計算手段が計算した物理量に基づいて無線回線品質を評価し、次回の伝送における伝送パラメータを信号系列ごとに決定する決定手段（１１１）と、
前記決定手段が決定した伝送パラメータにもとづいて、信号系列ごとに伝送の制御を行う手段（２０１−１，２０１−２）とを有することを特徴とする送信装置。
【請求項１９】前記物理量は、前記受信装置の復調信号のＳＮＲである、請求の範囲第１８項に記載の送信装置。
【請求項２０】前記物理量は、前記複数の送信アンテナが個別に信号を送信したと仮定した場合に、前記複数の受信アンテナがそれぞれ検出する信号のＳＮＲの総和である、請求の範囲第１８項に記載の送信装置。
【請求項２１】前記物理量は、より大きな値を有する１つまたは複数の前記ＳＮＲの総和である、請求の範囲第２０項に記載の送信装置。
【請求項２２】前記伝送パラメータは、マッピングにおける変調多値数である、請求の範囲第１８項から第２１項のいずれか１項に記載の送信装置。
【請求項２３】複数の送信アンテナ（１０４−１、１０４−２）によって並列に送信信号（ｓ１、ｓ２）を送信する送信装置（５１Ａ；６１Ａ）と、前記送信信号（ｓ１、ｓ２）を複数の受信アンテナ（１０５−１〜１０５−２；１０５−１〜１０５−４）によって受信する受信装置（５２Ａ：６２Ａ）とを備えた無線通信システムであって、前記送信装置が送信した信号と、前記受信装置が検出した該信号を関係づけるチャネル行列（Ｈ）と、前記受信装置が送信した信号と、前記送信装置が検出した該信号を関係づけるチャネル行列（Ｈ）が同一になるような無線通信システムにおける送信装置において、
前記送信装置は、
前記チャネル行列を推定する推定手段（１０６）と、
前記チャネル行列のみに基づいて、信号系列ごとに無線回線品質を推定するための物理量を計算する計算手段（６０１；６０１）と、
前記計算手段が計算した物理量に基づいて無線回線品質を評価し、次回の伝送における伝送パラメータを信号系列ごとに決定する決定手段（１１１）と、
前記決定手段が決定した伝送パラメータにもとづいて、信号系列ごとに伝送の制御を行う手段（２０１−１，２０１−２）とを有し、
前記受信装置は、
前記送信装置から受信した信号から、前記伝送パラメータの変更を信号系列ごとに検出する手段（１０７）を有する、ことを特徴とする無線通信システム。
【請求項２４】前記物理量は、前記受信装置の復調信号のＳＮＲである、請求の範囲第２３項に記載の無線通信システム。
【請求項２５】前記物理量は、前記複数の送信アンテナが個別に信号を送信したと仮定した場合に、前記複数の受信アンテナがそれぞれ検出する信号のＳＮＲの総和である、請求の範囲第２３項に記載の無線通信システム。
【請求項２６】前記物理量は、より大きな値を有する１つまたは複数の前記ＳＮＲの総和である、請求の範囲第２５項に記載の無線通信システム。
【請求項２７】前記伝送パラメータは、マッピングにおける変調多値数である、請求の範囲第２３項から第２６項のいずれか１項に記載の無線通信システム。




【国際調査報告】
2005008931.tif 000025
2005008931.tif 000026
2005008931.tif 000027
2005008931.tif 000028